(57)【要約】【課題】有機溶剤等９を、安全性を確保して保管できると共にフラスコ等への注入作業を簡単、かつ良好に行なえる有機溶剤等の液体保管用容器を提供する。【解決手段】有機溶剤等の液体を収容するステンレス製の容器１と、容器の上端部に突設した注入口管２と、注入口管に着脱自在に嵌合するキャップ３と、容器の正面部側の上部側に突設した注出管４と、注出管４に着脱自在に嵌合する蓋５と、容器の上部側に設けた給気用開閉バルブ６と、両端を容器の両側面部側の対応する部位に上下方向へ回動自在に取付けて設けた提げ手７と、容器の背面部側の下方部に固定して設けた把握部８とを備える。【選択図】図１
0003101814.tif 000002
【実用新案登録請求の範囲】
【請求項１】
有機溶剤等の液体を収容するステンレス製の容器と、
前記容器の上端部に突設した給入口管と、
前記給入口管に着脱自在に嵌合して前記給入口管の上端開口部を閉塞するキャップと、
前記容器の正面部側における上部側に突設した注出管と、
前記注出管の先端部に着脱自在に嵌合して前記注出管の注出口を閉塞する蓋と、
前記容器の上部側に設けられ、前記容器内と外部とを連通・遮断する給気用開閉バルブと、
両端を前記容器の両側面部側の対応する部位における外周壁面にそれぞれ上下方向へ回動自在に取付けて設けた提げ手と、
前記容器の背面部側における下方部側に位置する外周壁面に固定して設けた把握部とを備えてなることを特徴とする、
有機溶剤等の液体保管用容器。
【請求項２】
前記キャップは前記給入口管に螺合するように構成され、前記蓋は前記注出管に螺合するように構成されていることを特徴とする、請求項１に記載の有機溶剤等の液体保管用容器。
【請求項３】
前記蓋は前記キャップとチェーンにより連結され、前記キャップは前記容器に固定されている部位にチェーンにより連結されていることを特徴とする、請求項１又は２に記載の有機溶剤等の液体保管用容器。
【請求項４】
前記注出管は前記容器から上方側へ向けて立ち上がる立ち上がり部と、この立ち上がり部の上端部側に任意の曲率で前方側へ湾曲して延設された湾曲部と、この湾曲部の先端側に略前方方向に向けて開口した注出口とを有して構成されていることを特徴とする、請求項１ないし３のいずれか１項に記載の有機溶剤等の液体保管用容器。
【考案の詳細な説明】
【技術分野】
【０００１】
本考案は、有機溶剤や可燃性試薬等の液体を収容して保管する有機溶剤等の液体保管用容器に関する。
【背景技術】
【０００２】
例えば、研究機関や大学等の実験室等で日常的に使用される各種の有機溶剤や可燃性試薬等の液体は、引火による火災の面でも、有害蒸気の人体への侵入、暴露といった保健衛生の面からも取扱い上厳重な注意が必要である。
【０００３】
従来は、一般に有機溶剤等を例えば容量２５０ミリリットルのガラス製試薬びん等に入れ、これを実験室内の床等に無造作に置き、所要時に使用している。
したがって、従来は多数のガラスびんを揃える必要があった。また、不用意に蹴飛ばす等により、びんが横揺れし、或いは横転して溶剤等が床上にこぼれたり、流出する恐れを有し、時にはびんを破損することも生じる。溶剤等がこぼれたり、流出すると、そこへ静電気の火花や裸火で引火して火災が発生する危険性がある。同時に有害蒸気の吸入による人体への侵入等、保健衛生上の面においても問題を有している。
【０００４】
また、有機溶剤等を一斗缶に入れ、これを実験室内において保管し、使用する方法も見受けられる。この方法によれば、上述した横揺れ、横転による溶剤等のこぼれや流出の問題、及び破損の問題は一応解消できる。
しかるに、一斗缶を使用する場合には、所要時に缶内の溶剤等をフラスコ等に入れる作業（小分け作業）が難しく、フラスコ等への注入作業中に溶剤等が垂れ流れる問題を有している。その結果、上述した引火の危険性および保健衛生上の問題は解消されないまま残されている。
【考案の開示】
【考案が解決しようとする課題】
【０００５】
本考案は上記のような実情に鑑み、有機溶剤等を、安全性を確保して保管できると共に、フラスコ等への注入作業（小分け作業）を簡単、かつ円滑良好に行なえる有機溶剤等の液体保管用容器を提供することを目的とする。
【課題を解決するための手段】
【０００６】
上記目的を達成するため、本考案のうち１つの考案（第１の考案）は有機溶剤等の液体を収容するステンレス製の容器と、前記容器の上端部に突設した給入口管と、前記給入口管に着脱自在に嵌合して前記給入口管の上端開口部を閉塞するキャップと、前記容器の正面部側における上部側に突設した注出管と、前記注出管の先端部に着脱自在に嵌合して前記注出管の注出口を閉塞する蓋と、前記容器の上部側に設けられ、前記容器内と外部とを連通・遮断する給気用開閉バルブと、両端を前記容器の両側面部側の対応する部位における外周壁面にそれぞれ上下方向へ回動自在に取付けて設けた提げ手と、前記容器の背面部側における下方部側に位置する外周壁面に固定して設けた把握部とを備えてなることを特徴とする。
【０００７】
本考案の他の１つの考案（第２の考案）は、第１の考案の有機溶剤等の液体保管用容器において、前記キャップは前記給入口管に螺合するように構成され、前記蓋は前記注出管に螺合するように構成されていることを特徴とする。
【０００８】
本考案のさらに他の１つの考案（第３の考案）は、第１又は第２の考案の有機溶剤等の液体保管用容器において、前記蓋は前記キャップとチェーンにより連結され、前記キャップは前記容器に固定されている部位にチェーンにより連結されていることを特徴とする。
【０００９】
本考案のさらに他の１つの考案（第４の考案）は第１ないし第３のいずれかの考案の有機溶剤等の液体保管用容器において、前記注出管は前記容器から上方側へ向けて立ち上がる立ち上がり部と、この立ち上がり部の上端部側に任意の曲率で前方側へ湾曲して延設された湾曲部と、この湾曲部の先端側に略前方方向に向けて開口した注出口とを有して構成されていることを特徴とする。
【考案の効果】
【００１０】
本考案によれば次のような効果を奏する。（１）容器が横揺れしたり、横転しても容器内の溶剤等がこぼれたり、流出するのを防止できる。また、容器が破損するのを防止できる。したがって、溶剤等の流出やこぼれによる引火の問題を解消できると共に有害蒸気による保健衛生上の問題も解消し、安全性を確保して保管することができる。（２）溶剤等の所要時に、一方の手で提げ手を握り、他方の手で把握部を握って操作し、注出管から溶剤等を注出してフラスコ等に注入できるので、溶剤等のフラスコへの注入作業（小分け作業）を簡単、かつ円滑良好，安全に行なうことができる。また、注入作業中に溶剤等が垂れ流れるのを防止できる。（３）持ち運びが簡単であると共に整理・整頓して保管することができる。（４）第３の考案によれば、蓋はキャップとチェーンで連結されていると共にキャップは容器にチェーンで連結されているので、上記（１）〜（３）の効果に加え、蓋及びキャップを紛失するのを防止できる。
【考案を実施するための最良の形態】
【００１１】
以下図面を参照して本考案の実施の形態の一例を説明する。図１は本考案の有機溶剤等の液体保管用容器の一実施の形態を示す縦断側面図、図２は同上容器の平面図、図３は同上容器のキャップの部分を拡大して示す縦断面図、図４は同上容器の注出管の先端部分を拡大して示す縦断面図、図５は同上容器の蓋の部分を拡大して示す縦断面図、図６は同上容器の給気用開閉バルブの部分の概要を示す説明図、図７は同上容器内の有機溶剤等をフラスコ等へ注入する状態を示す説明図である。
【００１２】
これらの図１ないし図７において、この実施の形態の有機溶剤等の液体保管用容器は、ステンレス製の容器１と、この容器１に突設した給入口管２と、この口管２に着脱自在に嵌合するキャップ３と、容器１に突設した注出管４と、この管４に着脱自在に嵌合する蓋５と、容器１に設けた給気用開閉バルブ６と、提げ手７、及び把握部８とを備えている。
【００１３】
前記容器１は所望量の有機溶剤等の液体９を収容する容積に形成される。容器１の容積は特に限定するものではないが、例えば約３リットルないし約１０リットル程度に形成できる。
この実施の形態の容器１は、下端を幾分上げ底状の底板１１で閉塞した円筒状に形成されている。この構成により、容器１の底部は補強されると共に容器１の定置安定性を良好にしてある。前記円筒状に形成した容器１の円筒状胴部１２の上部側はドーム状に丸みを付与したドーム部１３で形成されている。
【００１４】
前記給入口管２は、容器１内へ有機溶剤等９を給入し、補給するものである。この実施の形態の給入口管２は容器１の上端部の略中心部（ドーム部１３の略中心部）に突設した円管２１で構成され、口管２（円管２１）の上端部側における外周壁面には雄ネジ溝２２が形成されている。
【００１５】
前記キャップ３は、給入口管２に着脱自在に嵌合して給入口管２の上端開口部２３を閉塞するものである。この実施の形態のキャップ３は、円筒部３１の上端を天板３２で閉塞すると共に円筒部３１の内周壁面に前記雄ネジ溝２２と螺合する雌ネジ溝３３を形成してなっている。そして、キャップ３を給入口管２に螺合して装着し、口管２の上端開口部２３を閉塞するように構成してある。
なお、この場合において、キャップ３の天板３２の下面と口管２の上端間に耐薬品性のパッキング（図示せず）を介装するように構成することもできる。
【００１６】
前記注出管４は、容器１の正面部側における上部側（ドーム１３）に突設され、容器１内の有機溶剤等９は注出管４を通して注出され、フラスコ等９１（図７参照）に注入される。この実施の形態の注出管４は容器１から上方側へ向けて立ち上がる立ち上がり部４１と、この立ち上がり部４１の上端部側に適当な曲率で前方側へ向けて湾曲して延設した湾曲部４２と、この湾曲部４２の先端側に略前方方向へ向けて開口した注出口４３とを備えて構成されている。この構成を採用すると、有機溶剤等９のフラスコ等への注入作業が一層良好に行なえる。
また、この実施の形態の注出管４の先端部における外周壁面には、前記蓋５を螺合する雄ネジ溝４４が形成されている。
【００１７】
前記蓋５は、注出管４に着脱自在に嵌合して注出管４の先端部の注出口４３を閉塞するものである。この実施の形態の蓋５は、円筒部５１の一端を蓋板５２で閉塞すると共に円筒部５１の内周壁面に注出管４の雄ネジ溝４４と螺合する雌ネジ溝５３を形成してなっている。そして、蓋５を注出管４に螺合して装着し、管４の注出口４３を閉塞するように構成してある。
なお、この場合において、蓋５の蓋板５２の内側面と注出管４の先端間に耐薬品性のパッキング（図示せず）を介装するように構成することもできる。
【００１８】
前記給気用開閉バルブ６は容器１の上部側に設けられ、容器１内と外部とを連通・遮断し、容器１内の前記溶剤等９を注出する際に開くものである。
この実施の形態の前記開閉バルブ６は、容器１のドーム部１３の適当な部位に突設した通気管６１と、この管６１に介装して設けた二方コック６２とを備えてなっている。図示の前記コック６２は通気管６１に介装して設けたスリーブ６３と、弁孔６４を有し、スリーブ６３に回転自在に篏挿して設けた切換弁６５と、この切換弁６５の基端に固定して設けた操作レバー６６とを備え、レバー６６を操作して切換弁６５を回動し、容器１内と外部とを連通・遮断するように構成したものが開示されている。
【００１９】
なお、開閉バルブ６は一例として開示したもので、このバルブ６は図示以外の構成のものを採用できること勿論である。要は容器１内と外部とを連通及び遮断できるように構成すればよいものである。
【００２０】
前記提げ手７は、容器を持ち運ぶ際、及び容器１内の溶剤等９を注出する際に使用するものである。提げ手７は、両端を容器１の両側面部側の対応する部位における外周壁面にそれぞれ上下方向へ回動自在に取付けて設けてある。
【００２１】
実施の形態の提げ手７は、略Ｕ字形状に形成した金属製の杆体７１で構成されている。また、容器１の両側面部側の対応する部位に位置させて取付軸７２，７２を対称的に突設すると共に両軸７２に取付板７３，７３を回転自在に装着してある。そして、両板７３に杆体７１の両端部７１ａ，７１ｂを溶接その他の手段により固着した構成を採用している。これにより、提げ手７は前記両軸７２を支点として上下方向に旋回自在に構成してある。
また、実施の形態の提げ手７は、前記杆体７１の中央部にグリップ７４を篏装して設けてある。このグリップは提げ手７を握り易くするために設けたものである。
【００２２】
なお、前記提げ手７は一例として開示したもので、図示以外の構成に変更できるものである。また、提げ手７の取付手段も図示以外の構成に変更できること勿論である。
【００２３】
前記把握部８は、容器１の背面部側における下方部側に位置する外周壁面に固定して設けてある。この把握部８は容器１内の溶剤等９をフラスコ等に注入（小分け）する際に、一方の手で握って操作するものである。
この実施の形態の把握部８は、複数本の手の指を挿入できる大きさの略半円形状に形成した金属製の握り杆８１で構成され、握り杆８１の両端を容器１の外周壁面に溶接その他の手段で固定してある。
【００２４】
なお、前記把握部８は一例として開示したもので、実施の形態では横向きに取付けてあるが、縦向きに取付ける等、図示以外の構成に変更できること勿論である。要は容器１の背面部側に固定し、手で握って容器１を持ち上げる（リフトアップ）等の操作をできるように構成すればよいものである。
【００２５】
実施の形態の前記蓋５は、適当な長さの金属製等のチェーン８２により前記キャップ３と連結されている。この実施の形態では、蓋５の円筒部５１の外周壁面にリング状等の取付部５４を固定して設けると共にキャップ３の天板３２上の略中央部に取付部３４を固定して設けてある。前記取付部３４は適当長さの取付軸３５と、この軸３５の一端に固定して設けた頭部３６とで構成され、前記軸３５の他端（図において下端）を前記天板３２に溶接その他の手段で固定した構成を採用したものが開示されている。
そして、前記チエーン８２には、両端に止め具８３，８４を取付け、一方の止め具８３を蓋５の取付部５４に係着すると共に他方の止め具８４をキャップ３の取付部３４の前記軸３５に係着し、これにより、蓋５とキャップ３をチェーン８２によって連結した構成を採用したものが開示されている。
【００２６】
また、実施の形態のキャップ３は、適当長さの金属製等のチェーン８５により容器１に固定されている部位に連結されている。実施の形態では、チェーン８５の両端に止め具８６，８７を取付け、一方の止め具８６をキャップ３の取付部３４の前記軸３５に係着すると共に他方の止め具８７を前記開閉バルブ６の通気管６１の適当部に係着し、これにより、キャップ３をチェーン８５によって通気管６１と連結した構成を採用したものが開示されている。
【００２７】
前記のように蓋５とキャップ３、及びキャップ３と通気管６１とをチェーン８２，８５によって連結することにより、蓋５及びキャップ３を紛失するのを防止できる。
なお、前記両チェーン８２，８５による連結手段は一例として開示したもので、実施の形態以外の構成に変更できること勿論である。図７において、９１はフラスコ等、９２はロートを示す。
【００２８】
実施の形態の有機溶剤等の液体保管用容器は上記のように構成したもので、次に使用方法等について説明する。
容器１の給入口管２から目的の有機溶剤等の液体９を容器１内に給入し、キャップ３を口管２に、また、蓋５を注出管４にそれぞれ螺合すると共に開閉バルブ６を閉じ、この状態で保管する。これにより、容器１が横揺れしたり、横転しても容器内の溶剤等９がこぼれたり、流出することはないので、溶剤等９の安全性を確保すると共に整理・整頓して保管することができる。
【００２９】
次に、容器１内の溶剤等９をフラスコ等９１に注入する際には、図７に示すように、蓋５を注出管４から取り外すと共にレバー６６を操作して開閉バルブ６を開く。そして、一方の手（図示せず）で提げ手７のグリップ７４の部分を握ると共に他の手（図示せず）で把握部８の握り杆８１を握って操作し、容器１の底部側を適当な傾斜角度になるように持ち上げる（リストアップ）。
これにより、容器１内の溶剤等９は注出管４の注出口４３から注出され、ロート９２を通じてフラスコ等９１へ注入される。このように、提げ手７及び把握部８を手で握って操作し、溶剤等９を注出管４から注出してフラスコ等へ注入するので、注入作業（小分け作業）を簡単、かつ円滑良好に行なうことができる。また、注入作業中に溶剤等９が垂れ流れるのを防止できる。
【００３０】
なお、上記した実施の形態は一例として開示したもので、本考案は上記の実施の形態に限定されるものではなく、実用新案登録請求の範囲に記載の技術思想を越脱しない範囲において任意に変更可能なものである。
【図面の簡単な説明】
【００３１】
【図１】本考案の有機溶剤等の液体保管用容器の一実施の形態を示す縦断面図である。
【図２】同上容器の平面図である。
【図３】同上容器のキャップの部分を拡大して示す縦断面図である。
【図４】同上容器の注出管の先端部分を拡大して示す縦断面図である。
【図５】同上容器の蓋の部分を拡大して示す縦断面図である。
【図６】同上容器の給気用開閉バルブの部分の概要を示す説明図である。
【図７】同上容器内の有機溶剤等をフラスコ等へ注入する状態を示す説明図である。
【符号の説明】
【００３２】
１    容器
２    給入口管
３    キャップ
４    注出管
５    蓋
６    給気用開閉バルブ
７    提げ手
８    把握部
９    有機溶剤等の液体
【図１】
0003101814.tif 000003
【図２】
0003101814.tif 000004
【図３】
0003101814.tif 000005
【図４】
0003101814.tif 000006
【図５】
0003101814.tif 000007
【図６】
0003101814.tif 000008
【図７】
0003101814.tif 000009